(57)【要約】【課題】振動吸収構造の製造手間を大幅に省くことができるとともに、その構造がしっかりとしてクラブヘッド全体の使用寿命が長いゴルフクラブヘッドを提供することを目的とする。【解決手段】ヘッド本体の打球する側のフェース部が開口してフェース板により被覆されてなる中空構造のゴルフクラブヘッドにおいて、前記フェース板は、クラブフェース側のフロントプレートと裏側のリアプレートとにより密着して重ねてなり、前記ヘッド本体の開口の内周縁に、それぞれねじ孔が形成された複数のブラケットが該開口の中心の方向へ突設され、前記フロントプレートと前記リアプレートには、前記ねじ孔に対応してそれぞれ第１の通孔、第２の通孔が設けられ、そして、ねじにより前記第１の通孔と前記第２の通孔を挿通して前記ねじ孔にねじ込まれていることを特徴とするゴルフクラブヘッドを提供する。【選択図】図１
0003126135.tif 000002
【実用新案登録請求の範囲】
【請求項１】
ヘッド本体の打球する側のフェース部が開口してフェース板により被覆されてなる中空構造のゴルフクラブヘッドにおいて、
前記フェース板は、打球側のフロントプレートと裏側のリアプレートとにより密着して重ねてなり、且つ前記プレートにおける一方が炭素繊維、他方がチタン合金とすることを特徴とするゴルフクラブヘッド。
【請求項２】
前記フロントプレートが炭素繊維である場合、前記リアプレートは、チタン合金とすることを特徴とする請求項１に記載のゴルフクラブヘッド。
【請求項３】
前記フロントプレートがチタン合金である場合、前記リアプレートは、炭素繊維とすることを特徴とする請求項１に記載のゴルフクラブヘッド。
【請求項４】
前記ヘッド本体の開口の内周縁に、それぞれねじ孔が形成された複数のブラケットが該開口の中心の方向へ突設され、
前記フロントプレートと前記リアプレートには、前記ねじ孔に対応してそれぞれ第１の通孔、第２の通孔が設けられ、
そして、ねじにより前記第１の通孔と前記第２の通孔を挿通して前記ねじ孔にねじ込まれていることを特徴とする請求項１〜３のいずれか１項に記載のゴルフクラブヘッド。
【請求項５】
ヘッド本体の打球する側のフェース部が開口してフェース板により被覆されてなる中空構造のゴルフクラブヘッドにおいて、
前記フェース板は、打球側のフロントプレートと裏側のリアプレートとにより密着して重ねてなり、且つ前記プレートにおける一方が炭素繊維、他方がチタン合金とし、
前記ヘッド本体の開口の内周縁に、それぞれねじ孔が形成された複数のブラケットが該開口の中心の方向へ突設され、
前記フロントプレートと前記リアプレートには、前記ねじ孔に対応してそれぞれ第１の通孔、第２の通孔が設けられ、
そして、ねじにより前記第１の通孔と前記第２の通孔を挿通して前記ねじ孔にねじ止めされていることを特徴とするゴルフクラブヘッド。
【考案の詳細な説明】
【技術分野】
【０００１】
本考案は、ゴルフクラブヘッドに関し、特に打球時の振動、衝撃を吸収する効果が優れたゴルフクラブヘッドに関する。
【背景技術】
【０００２】
従来の金属製ウッドゴルフクラブヘッド１としては、図５、６に示すように、中空のヘッド本体１１の打球する側が開口１１１にされ、例えば溶接によりボールを打つためのフェース板１２を該開口１１１に被覆してなる構造のものがある。この従来構造は、ヘッドを大幅に軽量化でき、両手の負担を低減することができるが、打球時の振動を吸収するための構造がなく、フェース板１２に生ずる打球衝撃は直接ゴルファーの腕に伝わり、ゴルファーの腕に運動傷害を来たし、ゴルフの楽しみが減殺されてしまう。。
【０００３】
振動吸収機能をそなえたクラブヘッドとしては、図７に示すものがある（特許文献１）。このクラブヘッド２は、中空構造のヘッド本体２１の打球する側が開口２１１になっていて、例えば溶接によりフェース板２２を該開口２１１に被覆し、ヘッド本体２１内には、フェース板２２側の底部に空洞２３を設け、空洞２３内に所定の粘性を有する半流動性の液体２４を満たした振動吸収手段が設けられている。液体２４の粘性により、クラブヘッドに加わる振動を減衰させることができる。
【０００４】
しかしながら、このクラブヘッド２は、空洞２３内に満たされた液体の粘性によりフェース板２２に加わる衝撃を効果的に減衰させることができるが、フェース板２２による衝撃が繰返し加わり、長期間使用するにつれて空洞２３が破損して液体２４が漏洩する恐れがある。また、この振動吸収手段は液体２４の注入や、底部での溶接など構成の複雑化による製造の手間がかかり、コストアップを招く。更に、所定の粘性をそなえた液体２４の慣性力によりゴルファーのスイングの安定性に影響を及ぼす不具合もある。
【特許文献１】特開２００４−２３６７７１号公報
【考案の開示】
【考案が解決しようとする課題】
【０００５】
本考案は、前記問題点に鑑みてなされたものであり、振動吸収構造の製造手間を大幅に省くことができるとともに、その構造がしっかりしてクラブヘッド全体の使用寿命が長いゴルフクラブヘッドを提供することを目的とする。
【課題を解決するための手段】
【０００６】
前記目的を達成するために、本考案は、ヘッド本体の打球する側のフェース部が開口してフェース板により被覆されてなる中空構造のゴルフクラブヘッドにおいて、前記フェース板は、打球側のフロントプレートと裏側のリアプレートとにより密着して重ねてなり、且つ前記プレートにおける一方が炭素繊維、他方がチタン合金とすることを特徴とするゴルフクラブヘッドを提供する。
【０００７】
前記フロントプレートが炭素繊維である場合、前記リアプレートは、チタン合金とすることができる。他方、前記フロントプレートがチタン合金である場合、前記リアプレートは、炭素繊維とすることができる。
【０００８】
前記構成にするには、前記ヘッド本体の開口の内周縁に、それぞれねじ孔が形成された複数のブラケットが該開口の中心の方向へ突設され、前記フロントプレートと前記リアプレートには、前記ねじ孔に対応してそれぞれ第１の通孔、第２の通孔が設けられ、そして、ねじにより前記第１の通孔と前記第２の通孔を挿通して前記ねじ孔にねじ込まれるようにしてもよい。
【０００９】
また、本考案は、ヘッド本体の打球する側のフェース部が開口してフェース板により被覆されてなる中空構造のゴルフクラブヘッドにおいて、前記フェース板は、打球する側のフロントプレートと裏側のリアプレートとにより密着して重ねてなり、且つ前記プレートにおける一方が炭素繊維、他方がチタン合金とし、前記ヘッド本体の開口の内周縁に、それぞれねじ孔が形成された複数のブラケットが該開口の中心の方向へ突設され、前記フロントプレートと前記リアプレートには、前記ねじ孔に対応してそれぞれ第１の通孔、第２の通孔が設けられ、そして、ねじにより前記第１の通孔と前記第２の通孔を挿通して前記ねじ孔にねじ止めされていることを特徴とするゴルフクラブヘッドを提供する。
【考案の効果】
【００１０】
本考案のゴルフクラブヘッドによれば、液体の粘性によらず簡単な振動吸収構造により打球による振動を緩衝する機能を果すことができ、且つ従来例の振動吸収構造の破損による液体漏れもなくなり、使用寿命を延ばすことができる。
【００１１】
振動吸収手段としてフェース板を、いずれか一方が炭素繊維によりつくられたフロントプレートとリアプレートとにより密着して重ねてなった構成をするので、打球時の振動、衝撃を直接、迅速に緩衝することができる。
【００１２】
ほかに、前記のように構成された振動吸収手段として板材が用いられ、さらに螺合方式によってそれがヘッド本体に固着されるので、その構造が強固であり、簡単に装着されることができ、製造手間は少なくコストの低減にもつながる。
【考案を実施するための最良の形態】
【００１３】
以下、図面を参照しながら本考案の実施形態を説明する。
図１は、本考案にかかるゴルフクラブヘッドの好適な実施形態の分解斜視図である。図２は、図１に対応して示す縦断面図である。本考案のクラブヘッドは、図１と図２を例として説明すれば、ヘッド本体５の打球する側のフェース部５０が開口してフェース板６により被覆されてなる中空構造のゴルフクラブヘッドにおいて、フェース板６は打球側のフロントプレート６１と裏側のリアプレート６２とにより密着して重ねてなり、且つプレート６１、６２における一方が炭素繊維、他方がチタン合金とする。
【００１４】
図１の実施形態では、このクラブヘッドは、ヘッド本体５の打球する側のフェース部５０が開口してフェース板６により被覆されてなる中空構造のウッド型のものである。
【００１５】
フェース板６は、約０.５ｍｍの厚さを有し、炭素繊維によりつくられた打球側のフロントプレート６１と、チタン合金によりつくられた裏側のリアプレート６２とにより密着して重ねてなっている。
【００１６】
ヘッド本体５の開口の５１内周縁に、それぞれねじ孔５２０が形成された１２個のブラケット５２が該開口５１の中心の方向へ突設され、フロントプレート６１とリアプレート６２には、ねじ孔５２０に対応してそれぞれ第１の通孔６１０、第２の通孔６２０が設けられている。そして、ねじ５２１により第１の通孔６１０と第２の通孔６２０を挿通してねじ孔５２０にねじ込まれている。
【００１７】
前記構成により、フロントプレート６１がリアプレート６２とともにヘッド本体５に固着されている。前記螺合のために設けられたブラケット５２、通孔６１０、６２０はそれぞれ１２個として例示しているが、これに限らず、前記プレート６１、６２とヘッド本体５との間の固着をしっかりとさせることができるなら、適当にその個数を決めればよい。なお、ねじ５２１が露出しないためにフロントプレート６１の外側を隠しシートで被覆することができる。
【００１８】
図３は、本考案にかかるゴルフクラブヘッドの第２の実施形態の分解斜視図である。図示のように、本実施形態のクラブヘッドは、ヘッド本体７の打球する側のフェース部７０が開口してフェース板６Ａにより被覆されてなる中空構造のパター型のものである。
【００１９】
フェース板６Ａは、約０.５ｍｍの厚さを有し、炭素繊維によりつくられた打球側のフロントプレート６１Ａと、チタン合金によりつくられた裏側のリアプレート６２Ａとにより接着剤で密着して重ねてなっている。そして、このフェース板６Ａが接着剤でヘッド本体７に固着されている。
【００２０】
図４は、本考案にかかるゴルフクラブヘッドの第３の実施形態の分解斜視図である。図示のように、本実施形態のクラブヘッドは、ヘッド本体８の打球する側のフェース部８０が開口してフェース板６Ｂにより被覆されてなる中空構造のアイアン型のものである。
【００２１】
フェース板６Ｂは、約０.５ｍｍの厚さを有し、チタン合金によりつくられた打球側のフロントプレート６１Ｂと、炭素繊維によりつくられた裏側のリアプレート６２Ｂとにより接着剤で密着して重ねてなっている。そして、このフェース板６Ｂが接着剤でヘッド本体８に固着されている。
【００２２】
以上、本考案の好適な実施形態について説明したが、本考案は前記実施形態に限定して狭義に解釈されるものではなく、即ち本考案の精神の範囲内において種々の変形や変更が可能である。
【産業上の利用可能性】
【００２３】
以上説明したように、本考案のゴルフクラブヘッドによれば、振動吸収構造の製造手間を大幅に省くことができるとともに、その構造がしっかりとしてクラブヘッド全体の使用寿命が長い。
【図面の簡単な説明】
【００２４】
【図１】本考案にかかるゴルフクラブヘッドの第１の実施形態の分解斜視図。
【図２】図１に対応して示す縦断面図。
【図３】本考案にかかるゴルフクラブヘッドの第２の実施形態の分解斜視図。
【図４】本考案にかかるゴルフクラブヘッドの第３の実施形態の分解斜視図。
【図５】従来ゴルフクラブヘッドの一例の分解斜視図。
【図６】図５に対応して示す縦断面図。
【図７】従来ゴルフクラブヘッドの他の例の縦断面図。
【符号の説明】
【００２５】
５、７、８    ヘッド本体
５０、７０、８０    フェース部
５１    開口
５２    ブラケット
５２０    ねじ孔
５２１    ねじ
６、６Ａ、６Ｂ    フェース板
６１    フロントプレート
６１０    第１の通孔
６２    リアプレート
６２０    第２の通孔
【図１】
0003126135.tif 000003
【図２】
0003126135.tif 000004
【図３】
0003126135.tif 000005
【図４】
0003126135.tif 000006
【図５】
0003126135.tif 000007
【図６】
0003126135.tif 000008
【図７】
0003126135.tif 000009